(57)【要約】【課題】屋上に設けられた透水層と、該透水層の上に設けられた、多孔質の粒状物が含まれている植物生育層とを含む屋上緑化用の植物生育基盤において、前記粒状物が砕けて生じた微細な粒子により前記透水層が目詰まりを起こすことを防止し、かつ、前記植物生育層の保水性及び保肥性をさらに高められるようにすることである。【解決手段】屋上緑化用の植物生育基盤は、屋上に設けられた透水層と、該透水層の上に設けられた植物生育層とを含み、該植物生育層は、多孔質の粒状物と、粘土粒子を含む土と、団粒剤と、水との混合物からなる。【選択図】図１
2010148446.tif 000002
【特許請求の範囲】
【請求項１】
屋上に設けられた透水層と、該透水層の上に設けられた植物生育層とを含み、
前記植物生育層は、多孔質の粒状物と、粘土粒子を含む土と、団粒剤と、水との混合物からなる、屋上緑化用の植物生育基盤。
【請求項２】
前記粒状物と前記土との合計約１．０ｍ３につき、前記粒状物は約０．３ｍ３ないし約０．９ｍ３であり、前記水は約０．１ｍ３ないし約０．５ｍ３であり、前記団粒剤は約１ｋｇないし約６ｋｇである、請求項１に記載の屋上緑化用の植物生育基盤。
【請求項３】
屋上に設けられた透水層と、該透水層の上に設けられた植物生育層とを含み、
前記植物生育層は、多孔質の粒状物と、粘土粒子を含む土と、団粒剤と、吸水性樹脂と、水との混合物からなる、屋上緑化用の植物生育基盤。
【請求項４】
屋上に設けられた透水層と、該透水層の上に設けられた植物生育層とを含み、
前記植物生育層は、多孔質の粒状物と、粘土粒子を含む土と、植物の破砕片と、団粒剤と、水との混合物からなる、屋上緑化用の植物生育基盤。
【請求項５】
前記粒状物はパーライト又は気泡コンクリートからなる、請求項１、３及び４のいずれか１項に記載の屋上緑化用の植物生育基盤。
【請求項６】
前記粘土粒子の重量は前記土の重量の約２０％ないし約５０％である、請求項１、３及び４のいずれか１項に記載の屋上緑化用の植物生育基盤。
【請求項７】
請求項１に記載の屋上緑化用の植物生育基盤に用いる植物生育層の材料であって、多孔質の粒状物と、粘土粒子を含む土と、団粒剤と、水との混合物からなる、植物生育層の材料。
【請求項８】
請求項３に記載の屋上緑化用の植物生育基盤に用いる植物生育層の材料であって、多孔質の粒状物と、粘土粒子を含む土と、団粒剤と、吸水性樹脂と、水との混合物からなる、植物生育層の材料。
【請求項９】
請求項４に記載の屋上緑化用の植物生育基盤に用いる植物生育層の材料であって、多孔質の粒状物と、粘土粒子を含む土と、植物の破砕片と、団粒剤と、水との混合物からなる、植物生育層の材料。
【発明の詳細な説明】
【技術分野】
【０００１】
本発明は、屋上緑化用の植物生育基盤に関する。
【背景技術】
【０００２】
屋上緑化を目的として、建物の屋上に植物生育基盤が設けられる。従来、屋上緑化用の植物生育基盤には、前記屋上に設けられた透水層と、該透水層の上に設けられた植物生育層とを含むものがある（特許文献１参照）。前記植物生育層で植物を生育させる。前記植物生育層に水や肥料が供給され、前記植物生育層に供給された水は前記透水層を経て前記植物生育基盤から排出される。
【特許文献１】特開２００３−３３１１２号公報
【０００３】
前記植物生育層は、土と、炭と、ゼオライトとの混合物からなる。前記炭及び前記ゼオライトのそれぞれは、多孔質の粒状物であり、比較的軽量である。このため、前記植物生育層を軽量化することができ、前記植物生育基盤が前記屋上に加える荷重を軽減することができる。前記粒状物が有する多数の孔は、前記植物生育層に供給された水や肥料を貯える。このため、前記植物生育層の保水性及び保肥性を高めることができ、前記植物の生育を促すことができる。
【発明の開示】
【発明が解決しようとする課題】
【０００４】
前記多孔質の粒状物は、一般に、比較的脆く、前記粒状物の取扱い中に、前記粒状物が擦れたり、前記粒状物が他の物に当たったりして、砕ける。前記粒状物が砕けることにより、微細な粒子が生じる。このため、前記粒状物には前記微細な粒子が含まれている。前記微細な粒子は、前記植物生育層に供給された水により前記透水層へ流され、該透水層に目詰まりを起こさせる。これにより、前記植物生育層からの排水性が低下し、前記植物に根腐れが生じる。
【０００５】
前記植物生育基盤が前記屋上に加える荷重を軽減するために前記植物生育層の厚さを薄くすることが多く、前記植物生育層は乾燥しやすい。このため、前記植物生育層に供給された水を維持することが難しく、前記植物生育層の保水性をさらに高めることが望まれている。また、前記屋上は、大雨や強風に曝されることが多く、前記植物生育層に供給された肥料は、大雨により流されたり、強風により飛散したりする。このため、前記植物生育層に供給された肥料を維持することが難しく、前記植物生育層の保肥性をさらに高めることが望まれている。
【０００６】
本発明の目的は、屋上に設けられた透水層と、該透水層の上に設けられた、多孔質の粒状物が含まれている植物生育層とを含む屋上緑化用の植物生育基盤において、前記粒状物が砕けて生じた微細な粒子により前記透水層が目詰まりを起こすことを防止し、かつ、前記植物生育層の保水性及び保肥性をさらに高められるようにすることである。
【課題を解決するための手段】
【０００７】
本発明は、前記植物生育層が、前記粒状物と、粘土粒子を含む土と、団粒剤と、水との混合物からなる。これにより、前記粒状物が砕けて生じた微細な粒子が前記団粒剤の凝集作用によって前記粘土粒子とともに団粒構造を形成するようにする。これにより、前記微細な粒子が、前記植物生育層に供給された水により前記透水層へ流されることがないようにし、前記微細な粒子により前記透水層が目詰まりを起こすことがないようにする。また、前記粒状物が有する孔に加えて前記団粒構造の内部に存在する空隙にも水や肥料を貯えることができるようにし、前記植物生育層の保水性及び保肥性を高める。
【０００８】
本発明に係る屋上緑化用の植物生育基盤は、屋上に設けられた透水層と、該透水層の上に設けられた植物生育層とを含み、該植物生育層は、多孔質の粒状物と、粘土粒子を含む土と、団粒剤と、水との混合物からなる。前記植物生育層で植物を生育させる。前記植物生育層に水や肥料が供給され、前記植物生育層に供給された水は前記透水層を経て前記植物生育基盤から排出される。
【０００９】
前記粒状物は、多孔質であるため、比較的軽量である。このため、前記植物生育層を比較的軽量なものとすることができ、前記植物生育基盤が前記屋上に加える荷重を比較的小さいものとすることができる。前記粒状物が有する多数の孔は、前記植物生育層に供給された水や肥料を貯える。このため、前記植物生育層の保水性及び保肥性を高めることができ、前記植物の生育を促すことができる。
【００１０】
前記混合物を生成するとき、前記粒状物と前記土と前記団粒剤と前記水とを混合し、撹拌する。このとき、前記団粒剤の凝集作用により、前記土に含まれている前記粘土粒子が凝集して、複数の団粒からなる団粒構造が形成される。前記混合物は、前記団粒の間に、空気や水が通る大きな空隙を有し、通気性及び排水性に優れる。また、前記混合物は、前記団粒を構成する前記粘土粒子の間に、水や肥料を貯える小さな空隙を有し、保水性及び保肥性に優れる。前記混合物が、前記粒状物が有する孔のみならず、前記小さな空隙にも水や肥料を貯えるため、前記植物生育層の保水性及び保肥性をより一層高めることができる。
【００１１】
ところで、前記粒状物は、一般に、比較的脆く、前記粒状物の取扱い中に、前記粒状物が擦れたり、前記粒状物が他の物に当たったりして、砕ける。前記粒状物が砕けることにより、微細な粒子が生じる。このため、前記粒状物には前記微細な粒子が含まれている。前記粒状物と前記土と前記団粒剤と前記水とを混合し、撹拌するとき、前記微細な粒子は、前記団粒剤の凝集作用により、前記粘土粒子とともに凝集して前記団粒を形成する。このため、前記微細な粒子が、前記植物生育層に供給された水により前記透水層へ流されることはなく、前記微細な粒子により前記透水層が目詰まりを起すことはない。これにより、前記植物生育層からの排水性が低下することはなく、前記植物に根腐れが生じるのを防ぐことができる。
【００１２】
前記混合物は、前記粒状物と前記土との合計約１．０ｍ３につき、前記粒状物が約０．３ｍ３ないし約０．９ｍ３であり、前記水が約０．１ｍ３ないし約０．５ｍ３であり、前記団粒剤が約１ｋｇないし約６ｋｇであるものとすることができる。前記粒状物は、パーライト又は気泡コンクリートからなるものとすることができる。前記粘土粒子の重量は前記土の重量の約２０％ないし約５０％である。
【００１３】
本発明に係る屋上緑化用の植物生育基盤は、屋上に設けられた透水層と、該透水層の上に設けられた植物生育層とを含み、該植物生育層は、多孔質の粒状物と、粘土粒子を含む土と、団粒剤と、吸水性樹脂と、水との混合物からなる。
【００１４】
ところで、前記粒状物と前記土と前記団粒剤と前記水とを混合したとき、前記団粒剤は前記水に溶解して前記土と混合する。このため、前記混合物の全部に前記団粒構造が形成されるようにするためには、前記団粒構造の形成に使われる前記水が不足しない程度に前記水の量を多くしなければならない。しかし、仮に、前記水の量が多過ぎると、前記水の全部が前記団粒構造の形成に使われることはなく、前記水の一部が前記団粒構造の形成に使われずに余る。前記団粒構造の形成に使われずに余った水は、前記混合物を前記屋上に運搬しているときに前記混合物から垂れて、前記屋上やその周囲を汚す恐れがある。前記混合物に前記吸水性樹脂が含まれていることにより、前記余った水は前記吸水性樹脂により吸収される。これにより、前記余った水が前記混合物から垂れるのを防止することができ、前記混合物の前記屋上への運搬中に前記屋上やその周囲を汚すことがないようにすることができる。
【００１５】
前記吸水性樹脂により吸収された水は、前記植物生育層が乾燥すると、前記吸水性樹脂から放出される。このため、前記植物は、前記植物生育層が乾燥しても、前記吸水性樹脂から放出された水を吸収することができる。これにより、前記植物生育層に散水する頻度を減らすことができ、前記植物生育基盤の維持管理に要する手間を軽減することができる。
【００１６】
本発明に係る屋上緑化用の植物生育基盤は、屋上に設けられた透水層と、該透水層の上に設けられた植物生育層とを含み、該植物生育層は、多孔質の粒状物と、粘土粒子を含む土と、植物の破砕片と、団粒剤と、水との混合物からなる。
【００１７】
前記植物の破砕片は前記団粒と絡み合って前記植物生育層を補強する。このため、前記植物生育層は、耐侵食性及び安定性に優れ、雨により流されにくい。また、前記植物の破砕片は、時間の経過とともに腐熟して前記植物の肥料となり、該植物の生育を促す。
【００１８】
本発明に係る、屋上緑化用の植物生育基盤に用いる植物生育層の材料は、多孔質の粒状物と、粘土粒子を含む土と、団粒剤と、水との混合物からなるものとすることができる。また、前記植物生育層の材料は、多孔質の粒状物と、粘土粒子を含む土と、団粒剤と、吸水性樹脂と、水との混合物からなるものとすることができる。また、前記植物生育層の材料は、多孔質の粒状物と、粘土粒子を含む土と、植物の破砕片と、団粒剤と、水との混合物からなるものとすることができる。
【発明の効果】
【００１９】
本発明によれば、屋上に設けられた透水層と、該透水層の上に設けられた植物生育層とを含む屋上緑化用の植物生育基盤において、前記植物生育層が、多孔質の粒状物と、粘土粒子を含む土と、団粒剤と、水との混合物からなる。このため、前記粒状物の取扱い中に該粒状物が砕けて生じた微細な粒子は前記混合物の生成時に前記団粒剤の凝集作用によって前記粘土粒子とともに団粒を形成する。これにより、前記微細な粒子が、前記植物生育層に供給された水により前記透水層へ流されることはなく、前記微細な粒子により前記透水層が目詰まりを起すことはない。このため、前記植物生育層からの排水性が低下することはなく、前記植物に根腐れが生じるのを防ぐことができる。また、前記混合物は、前記粒状物が有する孔のみならず、前記団粒の内部に存在する空隙にも水や肥料を貯えることができ、前記植物生育層の保水性及び保肥性をより一層高めることができる。
【発明を実施するための最良の形態】
【００２０】
図１に示すように、屋上緑化を目的として、建物の屋上１０に植物生育基盤１２が設けられている。植物生育基盤１２は、屋上１０に設けられた透水層１４と、該透水層の上に配置された透水性シート１６と、該透水性シートの上に設けられた植物生育層１８とを含む。
【００２１】
植物生育層１８で植物２０を生育させる。植物生育層１８に水や肥料が供給され、植物生育層１８に供給された水は透水性シート１６及び透水層１４を経て植物生育基盤１２から排出される。屋上１０の表面は、非透水性塗料、非透水性シート、非透水性コンクリート等（図示せず）により防水処理されており、透水層１４を経た水が屋上１０に浸み込むことはない。図１に示した例では、透水層１４が屋上１０に接しているが、これに代え、透水層１４と屋上１０との間に板又はシート（図示せず）が介在してもよい。これにより、透水層１４を経た水により屋上１０が汚れるのを防止することができる。
【００２２】
透水層１４は、例えば、屋上１０に敷き詰められた粒状物からなる。前記粒状物は、例えば、パーライトからなる。前記パーライトは、多孔質であり、比較的軽量である。このため、透水層１４を比較的軽量なものとすることができ、植物生育基盤１２が屋上１０に加える荷重を比較的小さいものとすることができる。透水性シート１６は、例えば、不織布からなる。
【００２３】
透水層１４は、前記粒状物からなる上記の例に代え、繊維材料で作られたマットからなるものでもよい。透水性シート１６は、前記不織布からなる上記の例に代え、織布からなるものでもよい。植物生育基盤１２は、透水層１４と植物生育層１８との間に透水性シート１６が介在する図１に示した例に代え、透水層１４と植物生育層１８との間に透水性シート１６が介在せず、植物生育層１８が、直接、透水層１４の上に設けられていてもよい。
【００２４】
植物生育層１８は、多孔質の粒状物と、粘土粒子を含む土と、団粒剤と、水との混合物からなる。前記粒状物は、パーライト、気泡コンクリート、榛名石、炭、ゼオライト等からなる。前記パーライトは、真珠石を焼成することにより作られたものでもよいし、焼成されていない真珠石からなるもの（天然パーライト）でもよい。前記粒状物の直径は、例えば、約１ｃｍないし２ｃｍである。前記粘土粒子の重量は前記土の重量の約２０％ないし約５０％である。前記団粒剤は高分子凝集剤である。
【００２５】
前記粒状物と前記土との合計約１．０ｍ３につき、前記粒状物は約０．３ｍ３ないし約０．９ｍ３であり、前記水は約０．１ｍ３ないし約０．５ｍ３であり、前記団粒剤は約１ｋｇないし約６ｋｇである。前記粒状物と前記土との合計約１．０ｍ３につき、前記粒状物が約０．３ｍ３であるとき、前記土は約０．７ｍ３である。また、前記粒状物と前記土との合計約１．０ｍ３につき、前記粒状物が約０．９ｍ３であるとき、前記土は約０．１ｍ３である。図２に示す例では、前記粒状物と前記土との合計約１．０ｍ３につき、前記粒状物は約０．５ｍ３であり、前記土は約０．５ｍ３であり、前記団粒剤は約１．５ｋｇであり、前記水は約０．１５ｍ３である。前記粒状物は天然パーライトからなる。
【００２６】
前記粒状物は、多孔質であるため、比較的軽量である。このため、植物生育層１８を比較的軽量なものとすることができ、植物生育基盤１２が屋上１０に加える荷重を比較的小さいものとすることができる。前記粒状物が有する多数の孔は、植物生育層１８に供給された水や肥料を貯える。このため、植物生育層１８の保水性及び保肥性を高めることができ、前記植物の生育を促すことができる。
【００２７】
前記混合物を生成するとき、前記粒状物と前記土と前記団粒剤と前記水とを混合し、撹拌する。このとき、前記団粒剤の凝集作用により、前記土に含まれている前記粘土粒子が凝集して、複数の団粒からなる団粒構造が形成される。前記混合物の生成は、工場で行ってもよいし、植物生育基盤１２を施工する現場で行ってもよい。
【００２８】
前記混合物は、前記団粒の間に、空気や水が通る大きな空隙を有し、通気性及び排水性に優れる。また、前記混合物は、前記団粒を構成する前記粘土粒子の間に、水や肥料を貯える小さな空隙を有し、保水性及び保肥性に優れる。このように前記混合物は、前記粒状物が有する孔のみならず、前記小さな空隙にも水や肥料を貯えることができる。このため、植物生育層１８の保水性及び保肥性をより一層高めることができる。
【００２９】
ところで、前記粒状物は、一般に、比較的脆く、前記粒状物の取扱い中に、前記粒状物が擦れたり、前記粒状物が他の物に当たったりして、砕ける。前記粒状物が砕けることにより、微細な粒子が生じる。このため、前記粒状物には前記微細な粒子が含まれている。前記粒状物と前記土と前記団粒剤と前記水とを混合し、撹拌するとき、前記微細な粒子は、前記団粒剤の凝集作用により、前記粘土粒子とともに凝集して前記団粒構造を形成する。このため、前記微細な粒子が、植物生育層１８に供給された水により透水性シート１６及び透水層１４へ流されることはなく、前記微細な粒子により透水性シート１６及び透水層１４が目詰まりを起すことはない。これにより、植物生育層１８からの排水性が低下することはなく、植物２０に根腐れが生じるのを防ぐことができる。
【００３０】
植物生育基盤１２を施工するとき、まず、屋上１０に透水層１４を設け、次に、透水層１４の上に透水性シート１６を配置する。その後、透水性シート１６の上に前記混合物を載せて植物生育層１８を設ける。
【００３１】
図３に示す例では、前記混合物に植物の破砕片が含まれていない図２に示した例に代え、前記混合物に植物の破砕片が含まれている。植物生育層１８は、前記粒状物と、前記土と、前記植物の破砕片と、前記団粒剤と、前記水との混合物からなる。
【００３２】
前記植物の破砕片は、樹木の幹、枝葉若しくは根の破砕片、草の破砕片又はこれらの混合物からなり、未腐熟である。前記植物の破砕片の直径は約２ｍｍないし約１５ｍｍであり、前記植物の破砕片の長さは約２ｃｍないし約１５ｃｍである。前記混合物を生成するとき、前記粒状物と前記土と前記団粒剤と前記水と前記植物の破砕片とを混合し、撹拌する。このとき、前記植物の破砕片は前記団粒と絡み合って植物生育層１８を補強する。このため、植物生育層１８は、耐侵食性及び安定性に優れ、雨により流されにくい。また、前記植物の破砕片は、時間の経過とともに腐熟して植物２０の肥料となり、該植物の生育を促す。
【００３３】
前記粒状物と前記土と前記植物の破砕片との合計約１．０ｍ３につき、前記粒状物は約０．３ｍ３ないし約０．９ｍ３であり、前記水は約０．１ｍ３ないし約０．５ｍ３であり、前記団粒剤は約１ｋｇないし約６ｋｇである。前記粒状物と前記土と前記植物の破砕片との合計約１．０ｍ３につき、前記粒状物が約０．３ｍ３であるとき、前記土と前記植物の破砕片との合計は約０．７ｍ３である。また、前記粒状物と前記土と前記植物の破砕片との合計約１．０ｍ３につき、前記粒状物が約０．９ｍ３であるとき、前記土と前記植物の破砕片との合計は約０．１ｍ３である。図３に示す例では、前記粒状物と前記土と前記植物の破砕片との合計約１．０ｍ３につき、前記粒状物は約０．５ｍ３であり、前記土は約０．２５ｍ３であり、前記植物の破砕片は約０．２５ｍ３であり、前記団粒剤は約１．５ｋｇであり、前記水は約０．１５ｍ３である。
【００３４】
図４に示す例では、前記粒状物が天然パーライトからなる図３に示した例に代え、前記粒状物が気泡コンクリートからなる。この場合においても、図３に示した例と同様に、前記粒状物と前記土と前記植物の破砕片との合計約１．０ｍ３につき、前記粒状物は約０．３ｍ３ないし約０．９ｍ３であり、前記水は約０．１ｍ３ないし約０．５ｍ３であり、前記団粒剤は約１ｋｇないし約６ｋｇである。図４に示した例では、前記粒状物と前記土と前記植物の破砕片との合計約１．０ｍ３につき、前記粒状物は約０．５ｍ３であり、前記土は約０．２５ｍ３であり、前記植物の破砕片は約０．２５ｍ３であり、前記団粒剤は約１．５ｋｇであり、前記水は約０．１５ｍ３である。
【００３５】
前記気泡コンクリートは、廃材であるＡＬＣ版を破砕して得られたものとすることができる。前記粒状物に前記廃材を用いることにより、前記廃材を有効利用することができる。また、前記廃材から得られた前記気泡コンクリートは比較的安価であり、植物生育層１８の材料費を低減することができる。
【００３６】
図５に示す例では、前記混合物に吸水性樹脂が含まれていない図２に示した例に代え、前記混合物に吸水性樹脂が含まれている。植物生育層１８は、前記粒状物と、前記土と、前記団粒剤と、前記吸水性樹脂と、前記水との混合物からなる。前記吸水性樹脂は、粉末状であり、例えば、自重の約１５０倍ないし約３００倍の水を吸収することができる。前記吸水性樹脂は、デンプン系樹脂又はポリアクリル酸ソーダからなるものとすることができる。
【００３７】
ところで、前記粒状物と前記土と前記団粒剤と前記水とを混合すると、前記団粒剤は前記水に溶解して前記土と混合する。このため、前記混合物の全部に前記団粒構造が形成されるようにするためには、前記水の量は、前記団粒剤を前記土の全部と混合させるのに十分な量でなければならない。
【００３８】
前記混合物には、前記水のみならず、前記土に含まれている水が存在する。このため、前記団粒構造の形成に必要な前記水の量は、厳密には、前記土の含水量に応じて変わる。しかし、前記土の含水量を測定し、測定した結果に応じて前記水の量を変更することは、多くの手間を要する。そこで、前記土の含水量に応じて前記水の量を変更する必要がないようにするため、前記水の量を、前記土の含水量が比較的少なくても前記団粒構造の形成に使われる前記水が不足することがない程度に多くしておくことが好ましい。
【００３９】
しかし、前記水の量が多過ぎると、前記水の全部が前記団粒構造の形成に使われることはなく、前記団粒構造の形成に使われずに余った水が前記混合物から垂れることがある。前記混合物を屋上１０へ運搬しているときに前記余った水が前記混合物から垂れると、前記建物の周囲や屋上１０が汚れる恐れがある。
【００４０】
前記混合物に前記吸水性樹脂が含まれていることにより、前記余った水は前記吸水性樹脂により吸収される。これにより、前記余った水が前記混合物から垂れるのを防止することができ、前記混合物の屋上１０への運搬中に前記建物の周囲や屋上１０を汚すことがないようにすることができる。なお、仮に、前記余った水の量が、前記吸水性樹脂が吸収できる水の量より多い場合、前記吸水性樹脂は前記余った水の全部を吸収することができない。この場合、前記吸水性樹脂により吸収されなかった水は透水性シート１６及び透水層１４を経て植物生育基盤１２から排出される。
【００４１】
前記吸水性樹脂により吸収された水は、植物生育層１８が乾燥すると、前記吸水性樹脂から放出される。このため、植物２０は、植物生育層１８が乾燥しても、前記吸水性樹脂から放出された水を吸収することができる。このように前記吸水性樹脂は植物生育層１８の保水性を向上させることができる。これにより、植物生育層１８に散水する頻度を減らすことができ、植物生育基盤１２の維持管理に要する手間を軽減することができる。
【００４２】
前記混合物を生成するとき、まず、前記粒状物と、前記土と、前記団粒剤と、前記水とを混合し、撹拌する。その後、これらに前記吸水性樹脂を加えて撹拌する。前記粒状物と前記土と前記団粒剤と前記水とを混合し、撹拌した後に、これらに前記吸水性樹脂を加えることにより、前記団粒構造の形成に必要な水が前記吸水性樹脂により吸収されて前記団粒構造の形成が十分に行われないということが起きないようにする。
【００４３】
前記吸水性樹脂は、乾燥したものでもよいし、予め吸水させたものであって吸水能力を有するものでもよい。前記吸水性樹脂を、予め吸水させたものとすることにより、植物生育基盤１２の施工直後における植物生育層１８の保水性を高めることができ、植物生育層１８に植えられた植物２０又は植物生育層１８で発芽した植物２０の根付きを良くすることができる。
【００４４】
前記粒状物と前記土との合計約１．０ｍ３につき、前記粒状物は約０．３ｍ３ないし約０．９ｍ３であり、前記水は約０．１ｍ３ないし約０．５ｍ３であり、前記団粒剤は約１ｋｇないし約６ｋｇであり、前記吸水性樹脂は約１．０ｋｇである。図５に示した例では、前記粒状物と前記土との合計約１．０ｍ３につき、前記粒状物は約０．５ｍ３であり、前記土は約０．５ｍ３であり、前記団粒剤は約２．０ｋｇであり、前記吸水性樹脂は約１．０ｋｇであり、前記水は約０．２５ｍ３である。前記粒状物は天然パーライトからなる。
【００４５】
図６、７に示す例では、前記混合物に有機肥料が含まれていない図５に示した例に代え、前記混合物に有機肥料が含まれている。植物生育層１８は、前記粒状物と、前記土と、前記植物の破砕片と、前記有機肥料と、前記団粒剤と、前記吸水性樹脂と、前記水との混合物からなる。前記有機肥料は、バーク堆肥のような堆肥からなる。前記有機肥料は、前記堆肥からなる図６に示した例に代え、厩肥のような他の肥料からなるものでもよい。
【００４６】
前記粒状物と前記土と前記植物の破砕片と前記有機肥料との合計約１．０ｍ３につき、前記粒状物は約０．３ｍ３ないし約０．９ｍ３であり、前記水は約０．１ｍ３ないし約０．５ｍ３であり、前記団粒剤は約１ｋｇないし約６ｋｇである。前記粒状物と前記土と前記植物の破砕片と前記有機肥料との合計約１．０ｍ３につき、前記粒状物が約０．３ｍ３であるとき、前記土と前記植物の破砕片と前記有機肥料との合計は約０．７ｍ３である。また、前記粒状物と前記土と前記植物の破砕片と前記有機肥料との合計約１．０ｍ３につき、前記粒状物が約０．９ｍ３であるとき、前記土と前記植物の破砕片と前記有機肥料との合計は約０．１ｍ３である。
【００４７】
図６に示した例では、前記粒状物と前記土と前記植物の破砕片と前記有機肥料との合計約１．０ｍ３につき、前記粒状物は約０．５ｍ３であり、前記土は約０．３ｍ３であり、前記植物の破砕片は約０．１ｍ３であり、前記有機肥料は約０．１ｍ３であり、前記団粒剤は約２．０ｋｇであり、前記吸水性樹脂は約１．０ｋｇであり、前記水は約０．２５ｍ３である。前記粒状物は気泡コンクリートからなる。
【００４８】
図７に示した例では、前記粒状物と前記土と前記植物の破砕片と前記有機肥料との合計約１．０ｍ３につき、前記粒状物は約０．７５ｍ３であり、前記土は約０．１５ｍ３であり、前記植物の破砕片は約０．０５ｍ３であり、前記有機肥料は約０．０５ｍ３であり、前記団粒剤は約１．０ｋｇであり、前記吸水性樹脂は約０．５ｋｇであり、前記水は約０．１２５ｍ３である。前記粒状物は気泡コンクリートからなる。
【図面の簡単な説明】
【００４９】
【図１】本発明の植物生育基盤の縦断面図。
【図２】本発明の第１実施例に係る植物生育層の材料の配合例。
【図３】本発明の第２実施例に係る植物生育層の材料の配合例。
【図４】本発明の第３実施例に係る植物生育層の材料の配合例。
【図５】本発明の第４実施例に係る植物生育層の材料の配合例。
【図６】本発明の第５実施例に係る植物生育層の材料の配合例。
【図７】本発明の第６実施例に係る植物生育層の材料の配合例。
【符号の説明】
【００５０】
１０    屋上
１２    植物生育基盤
１４    透水層
１６    透水性シート
１８    植物生育層
２０    植物
【図１】
2010148446.tif 000003
【図２】
2010148446.tif 000004
【図３】
2010148446.tif 000005
【図４】
2010148446.tif 000006
【図５】
2010148446.tif 000007
【図６】
2010148446.tif 000008
【図７】
2010148446.tif 000009